(57)【特許請求の範囲】
【請求項１】
脚柱に支持される受台に後傾動自在に支持された背フレームの立ち上げ部に背もたれ形状の芯材を取り付け、この芯材の背当て面側にウレタンフォーム等のクッション材を添着し、このクッション材を含む芯材に布カバーを被せて背もたれとする椅子の布張り構造において、
前記布カバーは、前記クッション材が前記芯材の両側端縁の外側に突出するように前記芯材の背当て面側から背面側へ回り込み、前記クッション材を含む芯材に被せられることが可能に、袋状に形成されており、
前記芯材の下半部の外面の複数箇所に切り起こし形状に形成された鉤状突起を設け、前記鉤状突起は、前記芯材の端部に起立して形成されたエッジとの間に溝部を形成するように位置しており、袋状に形成された布カバーを芯材に被せて布カバーの下半部の布地を前記鉤状突起に引っ掛けて固定し、この鉤状突起の存在部分を合成樹脂製化粧カバーで覆い、この化粧カバーの縁部にあるエッジ部を前記芯材の前記溝部に嵌め込み布カバーのしわ切りと鉤状突起の隠蔽とをなさしめるようにした
ことを特徴とする椅子の布張り構造。
【請求項２】
前記布カバーの前記鉤状突起に対応する位置に係合孔を設け、この係合孔を鉤状突起に係合して芯材に布カバーを取り付けるようにした
ことを特徴とする請求項１に記載の椅子の布張り構造。
【請求項３】
脚柱に支持される受台に後傾動自在に支持された背フレームの立ち上げ部に背もたれ形状の芯材を取り付け、この芯材の背当て面側にウレタンフォーム等のクッション材を添着し、このクッション材を含む芯材に布カバーを被せて背もたれとする椅子の布張り構造において、
前記布カバーは、前記クッション材が前記芯材の両側端縁の外側に突出するように前記芯材の背当て面側から背面側へ回り込み、前記クッション材を含む芯材に被せられることが可能に、袋状に形成されており、
前記布カバーの下端部に筒状部を形成しこの筒状部に側面視鋭角に屈曲形成されたＬ字状をなす鉤状片を挿入する一方、前記背フレームの下端部に前記鉤状片の前記Ｌ字状の一片部が係合する係合孔を形成し、
前記クッション材を含む芯材に布カバーを被せたのち前記鉤状片の前記一片部をテンションを加えて前記係合孔に係着し、前記芯材の下端に前記鉤状片の係着部を隠蔽する断面逆台形状に折曲形成された下カバーを、前記下カバーのエッジ部で前記布カバーを押圧しそのしわ切りをするように、取り付けた
ことを特徴とする椅子の布張り構造。
【請求項４】
脚柱に支持される受台に後傾動自在に支持された背フレームの立ち上げ部に背もたれ形状の芯材を取り付け、この芯材の背当て面側にウレタンフォーム等のクッション材を添着し、このクッション材を含む芯材に布カバーを被せて背もたれとする椅子の布張り構造において、
前記布カバーは、前記クッション材が前記芯材の両側端縁の外側に突出するように前記芯材の背当て面側から背面側へ回り込み、前記クッション材を含む芯材に被せられることが可能に、袋状に形成されており、
前記背フレームの下端部に複数個の係合孔を形成し、
前記クッション材を含む芯材に布カバーを被せたのち前記係合孔にピンにより布カバーの布地を、前記ピンが前記布カバーの布地を前記係合孔内部へ押し込むように、共に押し込んで固定し、前記芯材の下端に前記ピンによる係着部を隠蔽する断面逆台形状に折曲形成された下カバーを、前記下カバーのエッジ部で前記布カバーを押圧しそのしわ切りをするように、取り付けた
ことを特徴とする椅子の布張り構造。
【発明の詳細な説明】
【技術分野】
【０００１】
本発明は椅子に係り、特に椅子の表面を構成する布カバーを取り付けるための布張り構造に関する。
【背景技術】
【０００２】
昨今のオフィス用椅子は、用途が多様化されており、求められるデザインテイストも様々になっている。
【０００３】
製造コストなどの経済性を保ちながらバリエーションを増すためには、共通部材を使用しながら多くのニーズに合わせてテイストを変えられることが必要となる。
【０００４】
他方、エコロジーの観点からも、簡単に部材の付け替えが可能でありながら、廃棄時には材料別の分別解体が容易であることが要求される。
【０００５】
このようなことから、椅子の背もたれの場合、脚上の受台に後傾自在に支持された背フレームに背もたれ形状に形成された芯材を設け、この芯材の上方から袋状に縫成された布カバーを被せ、布カバーの開口部をスライドファスナーや平面ファスナーなどで綴じ合わせることにより布カバーを芯材に取り付けるようになされたものが提案されている（特許文献１参照）。
【０００６】
あるいはタッカーにより布カバーを芯材に止め付けるようにしたものもある。
【０００７】
しかるに布カバーを綴じ合わせるためのスライドファスナーは金属材料を含み、平面ファスナーは合成樹脂製であるため、布カバーを交換したのち廃棄するときこれらファスナーを布カバーから取り除かなければならず、その分別作業に多くの手数を要するという問題がある。
【０００８】
またタッカーにによるものは、タッカーが打ち込まれて圧入されているため、これを取り外すことが容易でなく、布カバーの交換が煩わしく、分別作業も容易でない。
【特許文献１】特開２００３−７９４８７号公報
【発明の開示】
【発明が解決しようとする課題】
【０００９】
本発明は、椅子の骨格は共通構造とし、表面材である布カバーで被包することにより、色彩、質感その他多種のニーズに容易に応えることができ、かつ廃棄時の交換作業、材質別の分別作業を容易とし、構成の簡素化に加え作業性の大幅な改善を図ることを課題とするものである。
【課題を解決するための手段】
【００１０】
上記課題を解決するための手段として本発明は、脚柱に支持される受台に後傾動自在に支持された背フレームの立ち上げ部に背もたれ形状の芯材を取り付け、この芯材の背当て面側にウレタンフォーム等のクッション材を添着し、このクッション材を含む芯材に布カバーを被せて背もたれとする椅子において、前記芯材の複数箇所に鉤状突起を設け、袋状に形成された布カバーを芯材に被せて布カバーの布地を前記鉤状突起に引っ掛けて固定し、この鉤状突起の存在部分を合成樹脂製化粧カバーで覆い、この化粧カバーと芯材により布カバーのしわ切りと鉤状突起の隠蔽とをなさしめるようにしたことにある。
【００１１】
請求項２は、前記布カバーの前記鉤状突起に対応する位置に係合孔を設け、この係合孔を鉤状突起に係合して芯材に布カバーを取り付けるようにしたことにある。
【００１２】
請求項３は、前記の椅子において、布カバーの下端部に前記鉤状片が係合する係合孔を形成し、前記クッション材を含む芯材に布カバーを被せたのち前記鉤状片をテンションを加えて前記係合孔に係着し、前記芯材の下端に前記鉤状片の係着部を隠蔽する下カバーを取り付けるようにしたものである。
【００１３】
請求項４は、前記の椅子において、芯材の下端部に複数個の係合孔を形成し、前記クッション材を含む芯材に布カバーを被せたのち前記係合孔にピンにより布カバーの布地を共に押し込んで固定し、前記芯材の下端に前記ピンによる係着部を隠蔽する下カバーを取り付けるようにしたものである。
【発明の効果】
【００１４】
請求項１、２記載の発明によれば、布カバーを芯材に被せたのち布カバーの布地を芯材に設けた鉤状突起に引っ掛けるだけで布カバーの取り付けができるので、布カバーの取り付けに際し特別な工具類を用いる必要がなく、取り付け作業を至って容易に行うことができる。
【００１５】
また布カバーの交換や廃棄時には、化粧カバーを外して布カバーを鉤状突起から外すだけで取り外すことができるのでその作業が容易であり、取り外したのちは布カバーに異種材質の部材が付帯していないので分別作業が不要であり、廃棄時の処理が容易にでき、エコロジーの観点からもきわめて有用である。
【００１６】
布カバーを取り付けたのちは、鉤状突起による係着部分は化粧カバーで隠蔽されているので外部からは全く見えず、椅子としてのデザインを損なうこともない。
【００１７】
請求項３によれば、下カバーを外し、布カバーの下端部の筒状部に挿入された鉤状片を芯材側の係合孔から抜くだけで解体することができ、また鉤状片を筒状部から抜くだけで鉤状片を布カバーから簡単に取り外すことができるので分別作業を容易に行うことができる。
【００１８】
請求項４によれば、同じく下カバーを外し、ピンを抜き外せば布カバーを取り外すことができ、ピンは布カバーの布地に挿通しているだけであるから簡単に抜き取ることができ、分解作業を容易に行うことができる。
【発明を実施するための最良の形態】
【００１９】
図１〜図６は本発明の一実施形態を示すもので、図１は本発明を適用した椅子の側面図、図２は同正面図を示しており、この椅子自体の構成は一般にオフィスで使用されるものを対象としている。
【００２０】
この椅子の構成の概要は、キャスタ付きの脚１に立設された脚柱２に高さ調節および回転可能に支持される受台３と、この受台３に後傾動自在に支持され後部が上方に立ち上がる立ち上げ部４ａとされた背フレーム４と、前記受台３上に設置される座部５と、前記背フレーム４の立ち上げ部４ａに支持される背もたれ６とで構成されている。
【００２１】
前記背もたれ６は、前記背フレーム４の立ち上げ部４ａに一体的に設けられ背もたれ形状に形成された樹脂製板状の芯材７と、この芯材７の背当て面側に添設されるウレタンフォーム等の弾性体からなるクッション材８と、このクッション材８を含んで芯材７の上方から被せられる袋状に形成された布カバー９とで構成され、前記芯材７の下端には前記背フレーム４と実質的に一体とされたアルミ製の下フレーム１０が設けられている。
【００２２】
上記実施形態においては、前記芯材７の背面の下半部領域７ａの周辺域に図３に示すように互いに所要の間隔をおいて複数の鉤状突起１１，１１…が形成されている。
【００２３】
この鉤状突起１１は、図４にその一つを拡大した断面図を示すように、芯材７の外面に切り起こし状に形成されており、その突端１１ａは芯材７の下半部領域７ａの中央に向く方向に形成されていて、前記クッション材８を含む芯材７に袋状に形成された布カバー９を上方から被せ、その裾部分を芯材７の中央方向へ引張りながら前記各鉤状突起１１，１１…に引っ掛けることにより芯材７およびクッション材８に密着した緊張状態に取り付けられる。
【００２４】
前記芯材７の下半部領域７ａに相当する外面で前記したフレーム１０の上部に至る範囲には樹脂製の化粧カバー１２がネジ止めあるいは嵌め込み等により取り付けられ、この化粧カバー１２と芯材７により前記鉤状突起１１，１１…による係着部分が隠蔽されるとともに化粧カバー１２の上縁のエッジ部と芯材７で布カバー９が押圧され、布カバー９に緊張が与えられてしわ切りがなされ、布カバー９の形態が整えられる。
【００２５】
したがってこの実施形態によれば、布カバー９の取り付け時には布カバー９の布地の下方部の複数箇所をそれぞれ鉤状突起１１，１１…に引っ掛けるだけで固定することができ、布地に緊張を与えての被着を容易に行うことができる。
【００２６】
また布カバー９の交換時（廃棄時）における取り外しには、布カバー９の布地を鉤状突起１１，１１…から抜き外すだけで芯材７から分離することができるので解体作業が容易であり、分離後は布カバー９に異種材質の部材が全く付帯していないので、そのまま廃棄処理することができ、分別廃棄の手数も全く要することがない。
【００２７】
前記鉤状突起１１，１１…と対応する位置の布カバー９に図７にその一つを示すように予め孔１３を設けておき、この孔１３を鉤状突起１１，１１…に嵌めることにより取り付けるようにしてもよい。この場合には、鉤状突起１１の先端は必ずしも鋭利に形成せずともよい。
【００２８】
他の構成は、前述の実施形態と全く同様であり、化粧カバー１２により鉤状突起１１，１１…による係着部分を隠蔽して外部から鉤状突起１１，１１…や孔１３を全く見えなくし、外観を整えることができる。
【００２９】
図８、図９は本発明の他の実施形態を示すもので、この実施形態では前記実施形態における化粧カバー１２を用いず、背もたれ６の下端フレーム１０の上部位置まで布カバー９が現れる形態とする場合である。
【００３０】
すなわち図９に部分拡大断面図を示すように、布カバー９の下端部が糸１５ａによって縫着されて筒状部１５が形成され、側面視鋭角に屈曲形成された略Ｌ字状をなす樹脂製の鉤状片１４が筒状部１５に挿入される。この鉤状片１４の立ち上がり片１４ａが、前記芯材７と実質的に一体で芯材７の下端背面よりやや引込んだ位置に設けられているアルミ製の下フレーム１０に形成されている孔１６に下から引掛けるように挿入することにより布カバー９の下端が固定されるようになっている。
【００３１】
そしてこの鉤状片１４による係着部分を覆うように断面逆台形状に折曲形成された樹脂製の下カバー１７が下フレーム１０の下面側から嵌め込まれてネジ止めされ、この下カバー１７のエッジ部１７ａで布カバー９が押圧されて緊張が与えられるとともにしわ切りされるようになっている。
【００３２】
この実施形態によれば、鉤状片１４を下フレーム１０の孔１６に差し込むだけで布カバー９の取り付けができ、また取り外し時には下カバー１７を外したのち鉤状片１４を下フレーム１０の孔１６から抜くだけでよく、さらに布カバー９の廃棄時には鉤状片１４を筒状部１５から抜くだけで筒状部１５を布カバー９から分離させることができるので分別処理にも多くの手数を要することなく行うことができる。また鉤状片１４による係着部分は下カバー１７で覆われるので、外部には全く現れることがなく、椅子としてのデザインを損なうことがない。
【００３３】
図１０は前記鉤状片１４に代えピン１８を用いて布カバー９を取り付けるようにした実施形態を示すもので、前記図９に相当する図として示している。
【００３４】
すなわち布カバー９を下フレーム１０の孔１９にピン１８により圧入することで布カバー９を下フレーム１０に固定するようにしたものである。他は図９と同様であるからこれと同一部材には同一符号を付すに留める。
【００３５】
したがってこの実施形態によれば、布カバー９を下方に引張ってピン１８を布カバー９の布地と共に下フレーム１０の孔１９に圧入するだけで布カバー９を緊張状態に張ることができ、布カバー９の取り外し時には布カバー９ごと下フレーム１０に対し下方へ引張ればピン１８ごと外れ、そのピン１８を布カバー９から引き抜けば分別廃棄ができる。
【図面の簡単な説明】
【００３６】
【図１】本発明を適用する椅子の一実施形態を示す側面図。
【図２】同、正面図。
【図３】本発明の一実施形態における芯材の正面図。
【図４】図３のＡ−Ａ拡大断面図。
【図５】図１のＢ− Ｂ拡大断面図。
【図６】図５の一部の拡大断面図。
【図７】同、他の実施形態を示す図６相当図。
【図８】本発明の他の実施形態における椅子の側面図。
【図９】同、要部の拡大断面図。
【図１０】同、他の実施形態を示す図９相当図。
【符号の説明】
【００３７】
４  背フレーム
５  座部
６  背もたれ
７  芯材
８  クッション材
９  布カバー
１０  下フレーム
１１  鉤状突起
１２  化粧カバー
１３，１６，１９  孔
１４  鉤状片
１５  筒状部
１５ａ  糸
１７  下カバー
１８  ピン
【図１】
0004642346.tif 000002
【図２】
0004642346.tif 000003
【図３】
0004642346.tif 000004
【図４】
0004642346.tif 000005
【図５】
0004642346.tif 000006
【図６】
0004642346.tif 000007
【図７】
0004642346.tif 000008
【図８】
0004642346.tif 000009
【図９】
0004642346.tif 000010
【図１０】
0004642346.tif 000011